(57)【要約】【課題】  対象魚を効果的に誘い出すことができ、且つ、長時間に亘って使用しても高い釣果が期待できるルアーを提供する。【解決手段】  本発明のルアー１０は、細長状の第１アーム部１１と、第１アーム部１１の端部に連結され且つ第１アーム部１１と非平行な方向に延設された第２アーム部１２と、を有するアーム部材１と、第１アーム部１１に連結部５を介して連結されたチャーム部材３と、を有し、チャーム部材３が、略球形であり、チャーム部材３が、連結部５とチャーム部材３の中心を結ぶ軸心Ｒ１の周りで回転可能であると共にその回転量が所定範囲に規制されるように、第１アーム部１１に連結されている。【選択図】  図１
2018134030.tif 000002
【特許請求の範囲】
【請求項１】
細長状の第１アーム部と、前記第１アーム部の端部に連結され且つ前記第１アーム部と非平行な方向に延設された第２アーム部と、を有するアーム部材と、
前記第１アーム部に連結部を介して連結されたチャーム部材と、を有し、
前記チャーム部材が、略球形であり、
前記チャーム部材が、前記連結部と前記チャーム部材の中心を結ぶ軸心の周りで回転可能であると共にその回転量が所定範囲に規制されるように、前記第１アーム部に連結されている、ルアー。
【請求項２】
前記連結部が、前記第１アーム部に設けられた第１環部と、前記チャーム部材に設けられた第２環部とを有し、
前記第１環部の孔に前記第２環部が挿通された状態で前記第１環部と前記第２環部が連結されている、請求項１に記載のルアー。
【請求項３】
前記連結部が、前記第１アーム部に設けられた第１環部と、前記チャーム部材に設けられた第２環部と、少なくとも１つのリング部材と、を有し、
前記第１環部の孔に前記リング部材が挿通された状態で前記第１環部と前記リング部材が連結され、且つ、前記第２環部の孔に前記リング部材が挿通された状態で前記第２環部と前記リング部材が連結されている、請求項１に記載のルアー。
【請求項４】
前記チャーム部材に切欠面が形成されている、請求項１乃至３の何れか一項に記載のルアー。
【請求項５】
前記切欠面が、前記チャーム部材の軸心と略直交する平面である、請求項４に記載のルアー。
【請求項６】
前記チャーム部材の表面積に対して前記切欠面の表面積の占める割合が、５％〜２０％である、請求項４又は５に記載のルアー。
【請求項７】
前記チャーム部材の密度が、１．０ｇ／ｃｍ３未満である、請求項１乃至６の何れか一項に記載のルアー。
【請求項８】
前記チャーム部材の内部に多面体構造を有する空洞が形成されている、請求項１乃至７の何れか一項に記載のルアー。
【発明の詳細な説明】
【技術分野】
【０００１】
本発明は、釣りの対象となる魚（対象魚）を効果的に誘い寄せることができるルアーに関する。
【背景技術】
【０００２】
従来、特許文献１に示されるようなスピナーベイトと称されるルアーが存在する。
図２０（ａ）に示すように、従来のスピナーベイト１０Ａは、側面視略Ｖ字状に屈曲された細長状のアーム部材１Ａと、アーム部材１Ａの一端部に設けられた釣針を有するルアー本体２Ａと、アーム部材１Ａの他端部に設けられたブレード６Ａと、を有する。ブレード６Ａは、図２０（ｂ）に示すように、中央部が凹んだスプーン状の形状を有する。
従来のスピナーベイト１０Ａでは、ブレード６Ａがスイベル７Ａを介してアーム部材１Ａに連結されている。そのため、スピナーベイト１０Ａを遊泳させると、水流を受けたブレード６Ａがスピナーベイト１０Ａの進行方向周りに連続的に回転する。ブレード６Ａの回転によって生じた振動は、ルアー本体２Ａにアーム部材１Ａを介して伝達し、その結果ルアー本体２Ａも振動する。また、ブレード６Ａの回転により、ブレード６Ａに当たった太陽光が拡散する。
このように、ブレード６Ａの回転に伴うルアー本体２Ａの振動と太陽光の拡散により、スピナーベイト１０Ａは小魚の群れのような外観を呈するため、対象魚を効果的に誘い寄せることができる。
しかしながら、従来のスピナーベイト１０Ａを長時間に亘って使用し続けると、対象魚に本物の餌でないと看破され、釣果が次第に低下していく。
【先行技術文献】
【特許文献】
【０００３】
【特許文献１】特開２００５−１８５２１６
【発明の概要】
【発明が解決しようとする課題】
【０００４】
本発明の課題は、対象魚を効果的に誘い出すことができ、且つ、長時間に亘って使用しても高い釣果が期待できるルアーを提供することである。
【課題を解決するための手段】
【０００５】
従来のスピナーベイト１０Ａを長時間に亘って使用した場合、その釣果が低下する原因について本発明者が研究したところ、その一因がブレード６Ａの回転であることを見出した。
つまり、実際の小魚の群れは不規則に動くのに対し、従来のスピナーベイト１０Ａでは、遊泳中においてブレード６Ａが規則的且つ連続的に一方向に回転する。そのため、ブレード６Ａの回転に伴うルアー本体２Ａの振動及び太陽光の反射が単調となり易い。従って、対象魚にスピナーベイト１０Ａが本物の餌でないと看破され易く、その結果、釣果が次第に低下すると考えられる。
このような知見に基づき、本発明者は、不規則に動く小魚の群れのような外観を呈するルアーであれば長時間に亘って効果的な釣果を得られると考え本発明を創出した。
【０００６】
本発明のルアーは、細長状の第１アーム部と、前記第１アーム部の端部に連結され且つ前記第１アーム部と非平行な方向に延設された第２アーム部と、を有するアーム部材と、前記第１アーム部に連結部を介して連結されたチャーム部材と、を有し、前記チャーム部材が、略球形であり、前記チャーム部材が、前記連結部と前記チャーム部材の中心を結ぶ軸心の周りで回転可能であると共にその回転量が所定範囲に規制されるように、前記第１アーム部に連結されている。
【０００７】
本発明の好ましいルアーは、前記連結部が、前記第１アーム部に設けられた第１環部と、前記チャーム部材に設けられた第２環部とを有し、前記第１環部の孔に前記第２環部が挿通された状態で前記第１環部と前記第２環部が連結されている。
或いは、好ましくは、前記連結部が、前記第１アーム部に設けられた第１環部と、前記チャーム部材に設けられた第２環部と、少なくとも１つのリング部材と、を有し、前記第１環部の孔に前記リング部材が挿通された状態で前記第１環部と前記リング部材が連結され、且つ、前記第２環部の孔に前記リング部材が挿通された状態で前記第２環部と前記リング部材が連結されている。
【０００８】
本発明の好ましいルアーは、前記チャーム部材の一部に切欠面が形成されている。
好ましくは、前記切欠面が、前記チャーム部材の軸心と略直交する平面である。
好ましくは、前記チャーム部材の表面積に対して前記切欠面の表面積の占める割合が、５％〜２０％である。
好ましくは、前記チャーム部材の密度が、１．０ｇ／ｃｍ３未満である。
好ましくは、前記チャーム部材の内部に多面体構造を有する空洞が形成されている。
【発明の効果】
【０００９】
本発明のルアーは、略球形のチャーム部材が、連結部とチャーム部材の中心を結ぶ軸心周りに回転可能であると共にその回転量が所定範囲に規制されるように、前記第１アーム部に連結されている。そのため、本発明のルアーは、不規則に動く小魚の群れのような外観を呈する。そのため、本発明のルアーは、対象魚に本物の餌でないと看破され難い。従って、本発明のルアーの使用により、長時間に亘る高い釣果が期待できる。
【図面の簡単な説明】
【００１０】
【図１】本発明の第１実施形態に係るルアーを示す側面図。
【図２】同ルアーのチャーム部材及びその周辺の部材を示す一部拡大側面図。
【図３】図２の上面図。
【図４】図２の正面図。
【図５】（ａ）は、同ルアーのチャーム部材及び第２環部のみを示す斜視図であり、（ｂ）は、（ａ）のＶｂ−Ｖｂ線断面図。
【図６】チャーム部材を回転させた状態を示す一部拡大側面図。
【図７】（ａ）は、基準点Ｘを示すチャーム部材の参考背面図であり、（ｂ）は、（ａ）の状態から軸心Ｒ１の周りでチャーム部材を１回転させた状態を示す参考背面図。
【図８】（ａ）は、軸心Ｒ２を示す同ルアーの一部拡大側面図であり、（ｂ）は、（ａ）の状態から軸心Ｒ２の周りでチャーム部材を１回転させた状態を示す一部拡大側面図。
【図９】（ａ）は、同ルアーのチャーム部材が揺動する状態を示す一部拡大側面図であり、（ｂ）は、（ａ）の背面図。
【図１０】（ａ）は、同ルアーの第１環部を示す一部拡大上面図であり、（ｂ）は、第１環部の変形例を示す一部拡大上面図。
【図１１】同ルアーの沈下状態を示す一部省略側面図。
【図１２】本発明の第２実施形態に係るルアーを示す側面図。
【図１３】（ａ）及び（ｂ）共に、本発明の第３実施形態に係るルアーが有するチャーム部材及びその周辺の部材を示す一部拡大上面図。
【図１４】（ａ）は、本発明の第４実施形態に係るルアーが有する第２環部及びチャーム部材のみを示す斜視図であり、（ｂ）は、（ａ）のＸＩＶｂ−ＸＩＶｂ線断面図。
【図１５】本発明の第５実施形態に係るルアーが有するチャーム部材及びその周辺の部材を示す一部拡大側面図。
【図１６】（ａ）は、本発明の第６実施形態に係るルアーが有するチャーム部材及びその周辺の部材を示す一部省略拡大側面図であり、（ｂ）は、（ａ）の背面図。
【図１７】本発明の第７実施形態に係るルアーが有するチャーム部材及びその周辺の部材を示す一部拡大側面図。
【図１８】（ａ）及び（ｂ）共に、本発明の第８実施形態に係るルアーが有するチャーム部材及び第２環部のみを示す拡大側面図。
【図１９】本発明の第９実施形態に係るルアーが有するチャーム部材及びその周辺の部材を示す一部省略拡大側面図。
【図２０】（ａ）は、従来のスピナーベイトを示す側面図であり、（ｂ）は、（ａ）のＸＩＸｂ−ＸＩＸｂ線断面図。
【発明を実施するための形態】
【００１１】
以下、図１乃至１１を参照しつつ、本発明の第１実施形態に係るルアーについて説明した後、第２乃至第９実施形態に係るルアーについて順番に説明する。第２乃至第９実施形態に係るルアーについては、これまでに説明したルアーとの相違点について説明し、共通する構成及び作用・効果については説明を適宜省略する。各図における、厚み及び大きさなどの寸法は、実際のものとは異なっている点に留意されたい。
本明細書において、「〜」で結ばれた数値は、「〜」の前後の数値を下限値及び上限値として含む数値範囲を意味する。複数の下限値と複数の上限値が別個に記載されている場合、任意の下限値と上限値を選択し、「〜」で結ぶことができる。
【００１２】
また、本明細書において、アーム部材に結び付けられたミチ糸を水中で引いた際にルアーが進む方向を「前方」と称し、前方と反対方向を「後方」と称し、両方向を「前後方向」と総称する場合がある。また、本明細書において、「上方」とは、前後方向と直交し且つ遊泳中のルアーを基準にして水面に向かう方向であり、「下方」とは、上方と反対方向、即ち、遊泳中のルアーを基準にして水底に向かう方向である。上方及び下方を「上下方向」と総称する場合がある。さらに、本明細書では、上下方向及び前後方向と直交する方向を、「側方」と称する場合がある。
図１に示すルアー１０の側面図を例にすると、紙面の左側が「前方（ルアー１０の進行方向）」であり、紙面の右側が「後方」であり、紙面の上側が「上方」であり、紙面の下側が「下方」である。
【００１３】
［第１実施形態］
図１に示すように、本発明のルアー１０は、少なくともアーム部材１とチャーム部材３を有する。アーム部材１は、細長状の第１アーム部１１及び第１アーム部１１の端部に連結され且つ第１アーム部１１と非平行な方向に延設された第２アーム部１２を有する。チャーム部材３は、第１アーム部１１に連結部５を介して連結されている。
本実施形態では、図１に示すように、第１アーム部１１は第２アーム部１２よりも上方に位置しており、第２アーム部１２には、ルアー本体２が設けられている。  
以下、本実施形態に係るルアー１０を構成する主要な部材について説明する。
【００１４】
＜ルアー本体＞
ルアー本体２は、本発明のルアー１０を用いた際に対象魚が食いつく部材である。本実施形態では、図１に示すように、ルアー本体２は、主部２１、スカート２２、及び釣針２３を有しており、これらの部分の協働により、ルアー本体２は本物の餌のような外観を呈する。以下、ルアー本体２の各部について説明する。
主部２１は、ルアー本体２の中核となる部分である。主部２１の形状は特に限定されず、対象魚の補食対象である本物の餌の全体又は一部を模した形状であってもよいし、本物の餌とは無関係な形状であってもよい。もっとも、釣果の向上を図るため、主部２１は本物の餌の全部又は一部を模した形状であることが好ましい。本物の餌の一部を模した形状とする場合、模倣する部位は特に限定されず、対象魚の種類に応じて適宜変更することができるが、本物の餌の頭部を模した形状であることが好ましい。頭部を模した場合、主部２１を本物の餌であると対象魚に誤認させ易くなるためである。本実施形態では、図１に示すように、主部２１は、小魚の頭部を模した形状とされている。
【００１５】
また、主部２１には、対象魚の興味を引くような彩色が施されていてもよい。この彩色は、本物の餌の器官（目、エラ、鱗など）を再現したものであってもよく、本物の餌とは無関係な模様を描いたものであってもよい。本実施形態では、小魚の頭部を再現するため、主部２１に本物の餌の目を模した模様が描かれている。
主部２１の形成材料は特に限定されず、対象魚が食いついても壊れない程度の機械的強度を有する材料が用いられる。このような材料としては、例えば、金属、樹脂などが挙げられ、好ましくは金属が用いられる。主部２１の形成材料として用いられる金属としては、例えば、鉄、鉛、タングステン、アルミニウム、及びこれらの合金などが挙げられる。
【００１６】
本実施形態では、主部２１にスカート２２及び釣針２３がそれぞれ連結されている。具体的には、釣針２３の基端部とスカート２２の基端部が、それぞれ主部２１の後端部に固着されている。
スカート２２は、可撓性を有する紐状部材が束になった集合体であり、釣針２３を覆うように設けられている。スカート２２が水中で揺らめくことにより、ルアー１０が対象魚に発見され易くなる。また、スカート２２によって釣針２３が覆い隠されることにより、ルアー本体２を本物の餌とより誤認させ易くなる。スカート２２の形成材料は特に限定されず、例えば、軟質合成樹脂（エラストマー系樹脂、シリコーン系樹脂、アクリル系樹脂、又はウレタン系樹脂など）やゴムなどの高分子材料が挙げられる。スカート２２の長さは、特に限定されないが、釣針２３を覆い隠すために釣針２３の長さよりも長いことが好ましく、具体的には、釣針２３の長さの１．２倍〜３．０倍であることが好ましい。
【００１７】
ルアー１０が水中で遊泳する際、スカート２２は、水流及び後述するチャーム部材３の揺動の影響により主部２１の後方で上下左右に揺動する。釣針２３は、このスカート２２によって覆い隠されるように設けられており、本実施形態では、主部２１の後端部から後方に延設されている。
釣針２３の形状は特に限定されず、例えば、１つ又は複数のフックを有する釣針２３を用いることができる。もっとも、フックの数が多くなればスカート２２を構成する紐状部材が釣針２３に引っ掛かり易くなり、スカート２２が短期間で破損する虞がある。そのため、１〜３つのフックを有する釣針２３を用いることが好ましく、図１に示すように１つのフックを有する釣針２３（一般的に、シングルフックと称される）を用いることがより好ましい。フックの先端２３１（針先）の位置は特に限定されないが、図１に示すようにフックの先端２３１を主部２１よりも上方に位置させることにより、釣針２３が対象魚の口腔内により引っ掛かり易くなる。
なお、チャーム部材３によって対象魚のルアー本体２に対する食いつきが妨害されないよう、釣針３のフックの先端２３１はチャーム部材３の後端部よりも後方に位置することが好ましい。
【００１８】
このように、本実施形態では、ルアー本体２は、主部２１、スカート２２、及び釣針２３を有しているが、ルアー本体２は、主部２１及びスカート２２を有していなくてもよい。もっとも、釣果を向上させるため、ルアー本体２は、本実施形態のように、主部２１及びスカート２２を有することが好ましい。
また、ルアー本体２は、後述するアーム部材１に固着されていてもよいし、取り外し可能にアーム部材１と連結されていてもよい。ルアー本体２が取り外し可能であれば、対象魚に応じてルアー本体２を交換することができ、より釣果の向上を図ることができる。
【００１９】
＜アーム部材＞
アーム部材１は、上述したルアー本体２と後述するチャーム部材３を繋ぐと共に、ミチ糸Ｌが連結される線材である。
アーム部材１は、細長状の第１アーム部１１と、第１アーム部１１の端部に連結され且つ第１アーム部１１と非平行な方向に延設された第２アーム部１２と、第１アーム部１１と第２アーム部１２の境界に設けられた第３アーム部１３と、を有する。本実施形態では、図１に示すように、第１アーム部１１の端部と第２アーム部１２の端部は、Ｕ字状の第３アーム部１３を介して連結されており、第３アーム部１３は、そのＵ字の底がアーム部材１の前端部となるように形成されている。第３アーム部１３には、ミチ糸Ｌが結び付けられる。
【００２０】
アーム部材１の第１アーム部１１には、後述するチャーム部材３が連結されており、第２アーム部１２には、上述したルアー本体２が連結されている。
チャーム部材３は、第１アーム部の前端部と後端部の間における任意の位置に連結され得る。同様に、ルアー本体２は、第２アーム部の前端部と後端部の間における任意の位置に連結することができる。
もっとも、チャーム部材３を効果的に揺動させるため、チャーム部材３は、図１に示すように、第１アーム部１１の後端部に連結されることが好ましい。また、ルアー本体２を対象魚に食いつかれ易くするため、ルアー本体２は、図１に示すように、第２アーム部１２の後端部に連結されることが好ましい。
【００２１】
アーム部材１の形成材料は、特に限定されず、例えば、鉄、ステンレス鋼、Ｔｉ（チタン）−Ｎｉ（ニッケル）合金などの形状記憶合金、及びその他の合金などを用いることができる。
もっとも、アーム部材１は単にルアー本体２とチャーム部材３を連結するだけでなく、チャーム部材３の揺動によって発生する不規則な振動をルアー本体２に伝える機能を有する。ルアー本体２がチャーム部材３の不規則な振動に連動して振動することにより、ルアー本体２がより本物の餌に近い動きをし、その結果、対象魚がルアー本体２により食いつき易くなる。これを考慮すると、アーム部材１の形成材料は、チャーム部材３の振動を伝達し易いものであることが好ましく、具体的には、鉄、ステンレス鋼、又は形状記憶合金であることが好ましく、ステンレス鋼又は形状記憶合金であることがより好ましい。
アーム部材１の断面視形状は特に限定されないが、通常、略円形又は略多角形状である。また、アーム部材１の線径は特に限定されないが、上述した振動の伝達効率及びルアーフィッシングにおける実用的な機械的強度を考慮すると、０．８ｍｍ〜３ｍｍであることが好ましく、１ｍｍ〜２ｍｍであることがより好ましい。
【００２２】
図１に示すようにルアー１０を側面視した際、アーム部材１の前端部（第３アーム部１３の前端部）から第１アーム部の後端部までの幅Ａと、アーム部材１の前端部から第２アーム部の後端部までの幅Ｂとの比率（Ａ／Ｂ）は特に限定されないが、通常、その下限値は０．２であり、好ましくは０．３であり、より好ましくは０．４であり、さらに好ましくは０．５である。また、その上限値は、通常、１．２であり、好ましくは１．１であり、さらに好ましくは１．０である。
前記比率（Ａ／Ｂ）が上述の範囲にあれば、前後方向におけるルアー本体２とチャーム部材３の間隔が適度となり、ルアー１０をより小魚の群れに似せることができる。
【００２３】
また、第１アーム部１１に対する第２アーム部１２の角度は特に限定されないが、５°〜９０°であることが好ましく、より好ましくは１０°〜９０°であり、さらに好ましくは３０°〜９０°である。なお、該角度は、図１に示すように、一点鎖線で示す第１アーム部１１の仮想延長線と第２アーム部１２の成す内角αである。
第１アーム部１１に対する第２アーム部１２の角度が上述の範囲にあれば、上下方向におけるルアー本体２とチャーム部材３の間隔が適度となり、ルアー１０をより小魚の群れに似せることができる。
【００２４】
＜チャーム部材＞
チャーム部材３は、水中でルアー１０が遊泳する際、上下左右に不規則に揺動する部材である。チャーム部材３が上下左右に不規則に揺動すると、それと連動してルアー本体２も上下左右に不規則に揺動する。従って、ルアー１０が不規則に動く小魚の群れに見えるため、長時間に亘って高い釣果が期待できる。
本発明者は、対象魚にルアーを本物の餌と誤認させるには、不規則に動く小魚の群れの外観を再現することが重要であると考え、不規則に揺動可能な部材について鋭意研究し、その結果、野球で用いられる変化球の一つであるナックルボールに着目した。
ナックルボールは、回転をできる限り抑えてボールを投じることにより、投手から捕手までの間で上下左右に不規則に揺動しながら落ちる変化球である。ナックルボールがこのように不規則に揺動する一因は、ボールの回転が抑制されることに起因して、ボールの後方にカルマン渦と称される空気の乱流が発生することによる。
本発明者は、空気中でナックルボールが不規則に揺動するのであれば、水と空気は流体という点では共通しているため、回転が抑制された略球形の部材をルアーに連結すれば水中で不規則に揺動すると推測し、試行錯誤の結果、本発明を成した。
【００２５】
図１乃至図５に示すように、本発明のチャーム部材３は、略球形であり、連結部５を介して上述したアーム部材１の第１アーム部１１に連結されている。
ここで、略球形は、本発明の技術分野において大凡球形であると認められる形状を含んでおり、真円球形のみならず、楕円球形、及び不定形（例えば、真円球形又は楕円球形の一部が凹んだ形状、真円球形又は楕円球形の一部に平面が設けられた形状、複数の平面から成る多面球形など）を含んでいる。
以下、チャーム部材３の連結態様について詳しく説明する。
【００２６】
本実施形態では、略真円球形のチャーム部材３が、第１環部１４、第２環部３１、及びリング部材４を有する連結部５を介して第１アーム部１１に連結されている。
具体的には、第１環部１４は、第１アーム部１１の後端部を屈曲させて形成された環状構造を有する部分である。また、第２環部３１は、チャーム部材３の前端部から前方に突出するように設けられた環状構造を有する部材である。本実施形態では、第２環部３１は、チャーム部材３とは別体である線材を８の字状に屈曲させることで２つの環状構造を有する部材を形成し、その一方の環状構造のみをチャーム部材３の前端部に埋め込むことにより設けられている。
第１環部１４と第２環部３１は、リング部材４を介して、連結されている。具体的には、第１環部１４の孔にリング部材４が挿通された状態で第１環部１４とリング部材４が連結され、且つ、第２環部３１の孔にリング部材４が挿通された状態で第２環部３１とリング部材４が連結されている。端的に言えば、第１環部１４と第２環部３１が、リング部材４を介して鎖状に連結されている。
リング部材１０は特に限定されないが、取り扱い性と強度のバランスが良いことから、所謂スプリットリングを用いることが好ましい。スプリットリングは、１本の線材を多重に巻回して形成された部材であり、本実施形態では１本の線材を２重に巻いたスプリットリングを用いている。なお、リング部材４として、１本の線材を３重以上に巻いたスプリットリングを用いることも可能である（図示せず）。スプリットリングをリング部材４として用いれば、簡単に第１環部１４と第２環部３１を鎖状に連結することができる。
【００２７】
本実施形態では、チャーム部材３は、連結部５（第１環部１４、第２環部３１、及びリング部材４）を介して鎖状に連結されている。そのため、チャーム部材３は、連結部５とチャーム部材３の中心Ｏを結ぶ軸心Ｒ１の周りを回転可能であると共にその回転量が所定範囲に規制される。なお、本実施形態では、連結部５は第１環部１４、第２環部３１、及びリング部材４を有しているが、軸心Ｒ１を規定する際にチャーム部材３の中心Ｏと結ばれる部分は、第２環部３１の前端部である。
本実施形態では、チャーム部材３は、軸心Ｒ１の周りを回転可能であるが、チャーム部材３が回転すると第２環部３１もそれに伴って軸心Ｒ１の周りを回転する。しかしながら、リング部材４は、チャーム部材３に固定されていないため、チャーム部材３の回転に連動して回転しない。そのため、チャーム部材３が回転すると、図６に示すように、第２環部３１とリング部材４が干渉し、チャーム部材３の回転量が所定範囲に規制される。
ここで、「チャーム部材３の回転量が所定範囲に規制される」とは、具体的には、チャーム部材３が軸心Ｒ１の周りを１回転未満しか回転しないことである。チャーム部材３が一回転するとは、図７（ａ）に示すようにチャーム部材３の周面における任意の一点を基準点Ｘと規定し、図７（ｂ）に示すようにチャーム部材３を軸心Ｒ１の周りで回転させると、基準点Ｘが３６０°回転して再び同位置（図６（ａ）と同じ状態）に戻ることを意味する。即ち、チャーム部材３が１回転未満しか回転しないとは、基準点Ｘが軸心Ｒ１の周りで３６０°回転しないこと（基準点Ｘが回転して同位置に戻らないこと）を意味する。
なお、図６（ｂ）では、便宜的に、チャーム部材３を後方から見て左周りに回転させているが、チャーム部材３を右周りに回転させた場合でも同様である。また、基準点Ｘは、チャーム部材３がニュートラルな状態（チャーム部材３が右周りにも左周りにも回転していない、即ち右周りにも左周りにも同程度回転し得る状態）で定められる。
【００２８】
なお、本実施形態では、チャーム部材３は、軸心Ｒ１の周りだけでなく、他の軸心周りにも回転可能であるが、チャーム部材３を他の軸心周りに回転させた場合でも、その回転は１回転未満となる。
例えば、図８（ａ）に示すように、チャーム部材３を、軸心Ｒ１と４５°の内角を成して交叉する別の軸心Ｒ２の周りで回転させると、図８（ｂ）に示すように、第２環部３１とリング部材４が干渉するだけでなく、さらにリング部材４も捻れて第１環部１４と干渉し、連結部５全体が絡まった状態となる。従い、チャーム部材３は軸心Ｒ２の周りで１回転以上回転することができない。
【００２９】
このように、チャーム部材３が軸心Ｒ１の周りで１回転しない場合、図９（ａ）に示すように、チャーム部材３の前方から後方へ流れる水流Ｓが、チャーム部材３の後端部近傍において上述したカルマン渦様の乱流を生じ易くなると考えられ、その結果、チャーム部材３が図９（ｂ）に示すように上下左右に不規則に揺動すると考えられる。
チャーム部材３の回転角（軸心Ｒ１の周りで揺動体を回転させた際に基準点Ｘがとり得る回転角）の上限は、好ましくは３００°（５／６回転）であり、より好ましくは２７０°（３／４回転）であり、さらに好ましくは２４０°（２／３回転）であり、特に好ましくは１８０°（１／２回転）である。また、チャーム部材３の回転角の下限は、通常３０°（１／１２回転）であり、好ましくは６０°（１／６回転）であり、より好ましくは９０°（１／４回転）であり、さらに好ましくは１２０°（１／３回転）であり、特に好ましくは１５０°（５／１２）回転である。
本発明者の知見によれば、チャーム部材３の回転角が上述の範囲であれば、チャーム部材３の後端部近傍にカルマン渦様の乱流が生じ易くなるため、チャーム部材３を不規則に揺動させ易くなる。
なお、上述したチャーム部材３の回転角は、チャーム部材３を人為的に回転させた（具体的には、チャーム部材を摘んで任意の方向に回転させた）際にとり得る角度である。本発明者の知見によれば、実際に本発明１０のルアーを水中で遊泳させた際は、チャーム部材３は水流によって殆ど回転することなく上下左右に揺動する。
【００３０】
本実施形態のように、第１環部１４と第２環部３１を１つのリング部材４を介して鎖状に連結した場合、チャーム部材３の回転角を３６０°未満とすることができる。また、チャーム部材３の回転角は、第１環部１４、第２環部３１、及びリング部材４の内径を変化させることにより、上述の範囲内で調整することができる。例えば、本実施形態のように、第１環部１４の内径が第２環部３１の内径よりもやや大きい場合（具体的には、第１環部１４の内径が第２環部３１の内径の１．１〜１．５倍である場合）、リング部材４の内径を第１環部１４及び第２環部３１の内径よりも十分大きくすると（例えば、第１環部１４の内径の１．２倍〜１．７倍とすると）、チャーム部材３の回転角は、３０°〜２７０°となり易い。また、特に図示しないが、リング部材４の内径を第１環部１４及び第２環部３１の内径よりも十分小さくすると（第１環部１４の内径の０．５倍〜０．８倍とすると）、チャーム部材３の回転角は３０°〜１５０°となり易い。
【００３１】
なお、第１環部１４の内径は、第１環部１４の内縁の第１点と、前記第１点とは独立した第１環部１４の内縁の第２点と、を結んだ直線の長さである。このような直線は無数に想定されるが、無数に想定される直線のうち長さが最大となるものが第１環部１４の内径に相当する。第２環部３１の内径、及びリング部材４の内径についても同様である。
図１０（ａ）に示す通り、本実施形態では、第１環部１４は上面視水滴形の環状構造を有しており、環状構造の前端に位置する内縁の第１点ａと後端に位置する内縁の第２点ｂを結ぶ直線Ｙ１の長さが、第１環部１４の内径に相当する。
もっとも、第１環部１４の環状構造は特に限定されず、例えば、例えば、図１０（ｂ）に示すように、環状構造を真円形にすることもできる。この場合、環状構造の前端に位置する内縁の第１点ａと後端に位置する内縁の第２点ｂを結ぶ直線Ｙ２の長さは、真円の直径に相当する。その他、特に図示しないが、第１環部１４の内径は、その環状構造が楕円形である場合、楕円の長径に相当し、その環状構造が正方形である場合、正方形の対角線の長さに相当する。
【００３２】
本発明者の知見によれば、第１環部１４の内径１ｄと第２環部３１の内径２ｄの比率（１ｄ／２ｄ）は、１．０〜２．０が好ましく、１．０〜１．５がより好ましく、１．０〜１．３がさらに好ましい。また、第１環部１４の内径１ｄとリング部材４の内径ｒｄの比率（１ｄ／ｒｄ）は、１．０〜３．０が好ましく、１．２〜２．０がより好ましく、１．５〜２．０がさらに好ましい。
第１環部１４、第２環部３１、及びリング部材４の内径をこのような範囲内とすることにより、上述した好ましいチャーム部材３の回転角を容易に実現することができる。
【００３３】
なお、本実施形態では、連結部５は第１環部１４と第２環部３１の間に１つのリング部材４のみを有するが、２つ以上のリング部材４を有していてもよい（図示せず）。連結部５が２つ以上のリング部材を有していても、その内径を適宜調整することにより、チャーム部材３の回転角を上述の範囲内にすることができる。
もっとも、リング部材４が多すぎると、ルアー１０の歩留まりが悪くなることから、リング部材４の数は、１〜４であることが好ましく、１〜２であることがより好ましく、本実施形態のように１であることが最も好ましい。
【００３４】
また、図１に示すように、アーム部材１の前端部（第３アーム部１３の前端部）から第１アーム部の後端部（第１環部１４の後端部）までの幅Ａと第１アーム部１１の後端部からチャーム部材３の後端部までの幅Ｃの比率（Ａ／Ｃ）は、０．８以上とされていることが好ましい。
幅Ａと幅Ｃの比率（Ａ／Ｃ）を０．８以上とすることにより、ルアー１０が沈下する際におけるチャーム部材３とミチ糸の絡まりを効果的に防止できる。
具体的には、ルアー１０を水中で沈下させると、図１１に示すように、アーム部材１の第３アーム部１３に結び付けられミチ糸Ｌと第１アーム部１１に連結されたチャーム部材３が、共に上方に延びた状態となる。そして、沈下時においてチャーム部材３は前後に揺動するため、チャーム部材３とミチ糸Ｌが近すぎると、前方に大きく揺動したチャーム部材３がミチ糸Ｌに絡まる虞がある。
これに対し、幅Ａと幅Ｃの比率（Ａ／Ｃ）を０．８以上にすれば、ルアー１０が沈下する際にチャーム部材３が大きく前方に揺動しても、チャーム部材３とミチ糸は十分離れているため絡まり難い。幅Ａと幅Ｃの比率（Ａ／Ｃ）は、より好ましくは１．０以上であり、より好ましくは１．２以上である。幅Ａと幅Ｃの比率（Ａ／Ｃ）が１．０以上であれば、ルアー１０が沈下する際にチャーム部材３とミチ糸が殆ど接触しないため、より効果的にチャーム部材３とミチ糸の絡まりを防止できる。
幅Ａと幅Ｃの比率（Ａ／Ｃ）の上限値は特に限定されないが、通常、３．０であり、好ましくは２．０である。幅Ａと幅Ｃの比率（Ａ／Ｃ）が３．０より大きい場合、ルアー１０を遊泳させた際、チャーム部材３の揺動が効率的に第２アーム部１２に伝わらず、ルアー本体２を不規則に揺動させ難くなる虞がある。
【００３５】
チャーム部材３の密度（質量（ｇ）／体積（ｃｍ３））は特に限定されないが、好ましくは、１．０ｇ／ｃｍ３未満であり、より好ましくは０．９ｇ／ｃｍ３未満であり、さらに好ましくは０．８ｇ／ｃｍ３未満である。なお、後述するようにチャーム部材３が内部に空洞３２を有する場合、チャーム部材３の体積は、チャーム部材３の形成材料だけでなく内部の空洞３２を含んだ体積を意味する。
チャーム部材３の密度が１．０ｇ／ｃｍ３未満であれば、チャーム部材３が水中で浮遊可能であるため、その浮力によりチャーム部材３に連結されたアーム部材１及びルアー本体２を浮遊させることができる。従来のスピナーベイトは、ブレードが浮力を有さないため、水底に到達した際に倒れ易く、その結果、根掛かりを生じ易いという問題がある。これに対し、本発明では、チャーム部材３の密度を１．０ｇ／ｃｍ３未満とすることによりルアー１０が水底に達しても倒れ難くなり、根掛かりを効果的に防止することができる。
なお、チャーム部材３の密度の下限値は特に限定されないが、あまりにチャーム部材３が軽すぎるとルアー１０を水中深くまで潜水させ難くなるため、好ましくは０．４ｇ／ｃｍ３であり、好ましくは０．５ｇ／ｃｍ３であり、より好ましくは０．６ｇ／ｃｍ３である。
【００３６】
チャーム部材３の密度を１．０ｇ／ｃｍ３未満とするには、例えば、密度が１．０ｇ／ｃｍ３未満の材料を用いてチャーム部材３を形成すること、チャーム部材３の内部に空洞３２を形成すること、及びその両方が考えられる。
チャーム部材３の形成材料としては、例えば、木材、合成樹脂、ゴム系樹脂などが挙げられる。合成樹脂は、熱可塑性樹脂であってもよく、熱硬化性樹脂であってもよい。
熱硬化系樹脂としては、例えば、エポキシ樹脂；アルキド樹脂などのポリエステル系樹脂；ビニルエステル系樹脂；イミド系樹脂；ビスマレイミド系樹脂；熱硬化性ポリウレタン系樹脂；熱硬化性アクリル系樹脂；アミド系樹脂、メラミン系樹脂、尿素系樹脂、フェノール系樹脂などのアミノ系樹脂などが挙げられる。熱可塑性樹脂としては、例えば、プロピレン樹脂などのオレフィン系樹脂；ＡＢＳ樹脂などのスチレン系樹脂；熱可塑性アクリル系樹脂；熱可塑性ポリウレタン系樹脂；ビニル系樹脂などが挙げられる。ゴム系樹脂としては、例えば、天然ゴム、スチレンブタジエンゴム、エポキシ化天然ゴム、ニトリルゴム、エチレンプロピレンジエンゴムなどが挙げられる。
チャーム部材３の形成材料の密度が１．０ｇ／ｃｍ３以上であってもチャーム部材３に空洞を設けることにより、チャーム部材３全体の密度を１．０ｇ／ｃｍ３未満とすることができる。密度が１．０ｇ／ｃｍ３以上の形成材料としては、例えば、密度が１．１前後のＡＢＳ樹脂や、密度が１．２ｇ／ｃｍ３前後のポリカーボネートなどが挙げられる。
チャーム部材３の内部に空洞３２を形成する方法としては、例えば、上述した形成材料を用いて、ボウル状の半割成型品を２つ作製し、この２つの半割成型品を接着剤などを用いて接合することが考えられる。この方法によれば、チャーム部材３の内部に後述する光反射シート３３やラトル３４を容易に封入することができる。
【００３７】
チャーム部材３が内部に空洞３２を有する場合、チャーム部材３は透明であることが好ましい。なお、「チャーム部材３が透明」とは、チャーム部材３の外側から内部の空洞３２の形状が把握できる程度に透視できることである。チャーム部材３は、無色透明であってもよく有色透明であってもよい。
チャーム部材が透明である場合、その光線透過率は、好ましくは６０％以上であり、より好ましくは７０％以上であり、特に好ましくは８０％以上である。チャーム部材３の光線透過率が６０％以上であれば、チャーム部材３の外側から内部の空洞３２の形状が良好に透視できる。
ただし、光線透過率は、ＪＩＳ  Ｋ  ７１０５−１９８１（プラスチックの光学的特性試験方法）に準じた方法によって測定した値であり、光線透過率（％）＝（Ｔ２／Ｔ１）×１００、で算出される値をいう。ここで、Ｔ２は、全光線透過量（試験片を透過した全光量）を表し、Ｔ１は、入射光量を表す。
【００３８】
本実施形態では、チャーム部材３は空洞３２を有すると共に、この空洞３２には光反射シート３３が封入されている。空洞３２に光反射シート３３を封入することにより、チャーム部材３に当たった太陽光を反射させることができる。チャーム部材３は上下左右に不規則に揺動するため、チャーム部材３に当たった太陽光は不規則に拡散されて煌めき、ルアー１０をより本物の小魚の群れに似せることができる。なお、光反射シート３３は、チャーム部材３の外面に貼付することも可能であるが、この場合、ルアー１０を何度も使用すると光反射シート３３がチャーム部材３から剥がれ落ちる虞がある。この点、空洞３２に光反射シート３３を封入すれば、光反射シート３３が剥がれ落ちる虞がなく、長期間に亘ってルアー１０を安定的に使用することができる。光反射シート３３としては、例えば、アルミニウムなどの金属箔を積層したシート、プリズム効果により光を虹色に反射するホログラムシート、蛍光色反射シートなどが挙げられる。なお、空洞３２に光反射シート３３を封入したうえで、チャーム部材３の表面に金属箔を鍍金すれば、よりチャーム部材３が太陽光を拡散し易くなる。
【００３９】
なお、本実施形態では、光反射シート３３が封入された空洞３２を有する透明なチャーム部材３を用いているため、チャーム部材３の外側から内部の空洞３２、光反射シート３３、及び第２環部３１の一部が視認できるが、便宜上、図面ではチャーム部材３の内側にある空洞３２の輪郭及び第２環部３１の一部を破線で表しており、光反射シート３３は実線で表すと共に格子状の模様を付している。但し、発明の理解のため、図５（ａ）においては、空洞３２の一部の輪郭を実線で表し、図６、図８、及び図９については、チャーム部材３の内側にある空洞３２、光反射シート３３、及び第２環部３１の一部の描写を省略している。
【００４０】
空洞３２の形状は特に限定されないが、好ましくは多面体構造である。多面体構造は、平面のみから構成されていてもよく、曲面のみから構成されていてもよく、平面と曲面を両方有していてもよい。
本実施形態では、図５（ａ）及び（ｂ）に示すように、チャーム部材３は、内部に略直方体状の空洞３２を有しているが、その直方体の１つの面（最も前方に位置する面）はその中央部が後方へ湾曲した曲面（上面視Ｕ字状の曲面）とされている。即ち、本実施形態では、空洞３２は、５つの平面（前後方向及び上下方向と平行に延びる２つの平面ｐ１，ｐ２、前後方向と平行で且つ上下方向と直交する２つの平面ｐ３，ｐ４、及び前後方向と直交し且つ上下方向と平行に延びる１つの平面ｐ５）と１つの曲面ｃ１から構成されている。
このように多面体構造が平面を有する場合、チャーム部材３の外面から内部の空洞３２に至る壁部Ｗが凸レンズ様の形状となり、その結果、チャーム部材３の内部に封入された光反射シート３３がチャーム部材３の外側から大きく見え易くなる。
【００４１】
例えば、本実施形態では、多面体構造の５つの平面のうち、平面ｐ５に光反射シート３３が貼付されている。平面ｐ５に対応するチャーム部材３の外面は後方へ湾曲した曲面である。そのため、図５（ｂ）に示すように、平面ｐ５から平面ｐ５に対応するチャーム部材３の外面に至るチャーム部材３の壁部Ｗは、平凸レンズ様の形状となる。そのため、チャーム部材３を後方から観察すると内部の光反射シート３３が大きく見え、その結果、対象魚を効果的に誘い寄せることができる。
なお、特に図示しないが、光反射シート３３は、平面ｐ５のみならず、平面ｐ１乃至ｐ４にも貼付することができる。平面ｐ１及びｐ２に光反射シート３３を貼付した場合、側方からチャーム部材３を見た場合にも光反射シート３３が大きく見え、平面ｐ２及びｐ３に光反射シート３３を貼付した場合、上下からチャーム部材３を見た場合でも光反射シート３３が大きく見える。また、本実施形態では、平面ｐ５の全体に光反射シート３３が貼付されているが、光反射シート３３は平面ｐ５の一部に貼付されていてもよい（平面ｐ１乃至ｐ４についても同様）。
このように、光反射シート３３の拡大効果を考慮すると、空洞３２の多面体構造は、平面を有することが好ましく、平面のみから構成されていることがより好ましい。また、空洞３２の多面体構造を構成する面の数は特に限定されないが、通常、３面〜１０面であり、好ましくは３面〜８面であり、より好ましくは３面〜６面である。このような数の面を有する多面体構造としては、例えば、立方体構造、直方体構造、正四面体構造などが挙げられる。
【００４２】
このように、本発明のルアー１０は、略球形のチャーム部材３が軸心Ｒ１の周りに回転可能であると共に、その回転量が所定範囲に規制されている。従って、遊泳中にチャーム部材３が上下左右に不規則に揺動し、この揺動によって発生する振動がアーム部材１を介してルアー本体２に伝播することによりルアー本体２が不規則に揺動する。従って、本発明のルアー１０は、不規則に動く本物の小魚の群れのような外観を呈するため、長時間に亘って使用しても対象魚に本物の餌でないと看破され難く、長時間に亘って優れた釣果を期待できる。
また、従来のスピナーベイトでは、遊泳中に連続的に回転するブレードを用いており、このブレードが水中で藻に絡まる虞があった。これに対し、本発明のチャーム部材３は１回転未満しか回転しないため、藻に絡まり難く、それ故、長時間に亘って優れた釣果を期待できる。
【００４３】
［第２実施形態］
第１実施形態では、アーム部材１の第１アーム部１１が第２アーム部１２よりも上方に延設されているが、本実施形態では、図１２に示すように、アーム部材１の第１アーム部１１は、第２アーム部１２よりも下方に延設されている。また、第１実施形態では、アーム部材１は、第１アーム部１１の端部と第２アーム部１２の端部は、Ｕ字状の第３アーム部１３を介して連結されているが、本実施形態では、第１アーム部１１の端部と第２アーム部１２の端部は、第３アーム部を介さずに直接連結されている。また、第１実施形態では、ルアー本体２は、主部２１、スカート２２、及び釣針２３を有しているが、本実施形態ではルアー本体２は、主部２１を有さず、スカート２２及び釣針２３のみからなる。さらに、第１実施形態では、チャーム部材３の内部に空洞３２が設けられていたが、本実施形態ではチャーム部材３は空洞３２を有さず、その密度は１．０ｇ／ｃｍ３以上とされている（即ち、本実施形態ではチャーム部材３が錘としても機能している）。
このようなルアー１０であっても、第１実施形態と同様の原理により、チャーム部材３が上下左右に不規則に揺動することにより、対象魚を効果的に誘き寄せることができる。もっとも、対象魚は、一般的にルアー１０の後方且つ下方からルアー本体２に食いつき易い習性があるため、チャーム部材３は第１実施形態のように、ルアー本体２よりも上方に配置されることが好ましい。
また、本実施形態では、ルアー１０が遊泳中に第１アーム部１１と第２アーム部１２の境界に結び付けられたミチ糸が第２アーム部１２に移動する虞がある。これを考慮すると、アーム部材１は、第１実施形態のように、第３アーム部１３を有することが好ましい。
【００４４】
［第３実施形態］
第１実施形態では、光反射シート３３が多面体構造を構成する平面に貼付されているが、光反射シート３３は必ずしも平面に貼付されていなくてもよく、チャーム部材３の空洞３２を区画するように設けられていてもよい。
例えば、図１３に示すように、本実施形態では、上面視略Ｖ字状に屈曲された光反射シート３３がチャーム部材３の空洞３２を３つに区画するように封入されている。図１３（ａ）では、平面ｐ５と平面ｐ１の境界部に光反射シート３３の一端が位置し、平面ｐ５と平面ｐ２の境界部に光反射シート３３の他端が位置し、曲面ｃ１の後端部に光反射シート３３の屈曲部が接するように光反射シート３３が配置されている。また、図１３（ｂ）では、平面ｐ１と曲面ｃ１の境界部に光反射シート３３の一端部が位置し、平面ｐ２と曲面ｃ１の境界部に光反射シート３３の他端が位置し、平面ｐ５の中央部に光反射シート３３の屈曲部が接するように光反射シート３３が配置されている。なお、特に図示しないが、光反射シート３３を上面視略Ｗ字状や上面視Ｕ字状に屈曲させて空洞３２に封入することもできる。光反射シート３３の形や配置によってチャーム部材３の外観は大きく変化する。
このように、光反射シート３３によって空洞３２を区画することで、チャーム部材３の外観が見る角度に応じて多彩に変化するだけでなく、チャーム部材３が揺動した際、光がより不規則に拡散し易くなる。従って、ルアー１０の外観をより不規則に動く本物の小魚の群れに似せることができ、対象魚をより効果的に誘き寄せることができる。
【００４５】
［第４実施形態］
第１実施形態では、チャーム部材３の空洞３２に光反射シート３３が封入されているが、図１４（ａ）及び（ｂ）に示すように、チャーム部材３の空洞３２には、光反射シート３３と共に（又は光反射シート３３に代えて）ラトル３４を封入することもできる。
ラトル３４は、チャーム部材３が揺動した際に空洞３２の中で跳ね動く粒状体である。ラトル３４が空洞３２の中で跳ね動くことにより、ラトル３４同士又はラトル３４と空洞３２を構成する面が衝突し、所謂ラトル音が発生する。チャーム部材３がラトル音を発生することにより、ルアー１０の遠くにいる対象魚を効果的に誘き寄せることができる。
【００４６】
ラトル３４の形状は特に限定されず、略球形状、並びに、略立方体状、略直方体状、及び略円柱状などの多面体形状を採用することができる。また、ラトル３４の数も特に限定されず、空洞３２の体積などを考慮して適宜設定することができる。ラトル３４の数は、通常、１〜１０個であり、好ましくは２〜５個であり、より好ましくは２〜３個である。本実施形態では、図１４（ａ）及び（ｂ）に示すように、略真球状の３つのラトル３４が空洞３２に封入されている。
なお、本発明者の知見によれば、曲面にラトル３４が衝突するよりも平面にラトル３４が衝突した方が大きな音が出易く、より遠くにいる対象魚を誘き寄せ易い。そのため、ラトル音の発生を考慮すると、チャーム部材３の空洞３２の多面体構造は平面を有することが好ましく、平面のみで構成されていることがより好ましい。
【００４７】
ラトル３４の形成材料は特に限定されず、例えば、鉄、鉛、タングステン、アルミニウム及びこれらの合金などの金属、ガラス、又は合成樹脂などを用いることができる。チャーム部材３を軽量化するという観点からは合成樹脂を用いることが好ましく、大きなラトル音を発生させるという観点からは金属を用いることが好ましい。
空洞３２にラトル３４を２つ以上封入する場合、各ラトル３４の形成材料や大きさは同じであってもよく、それぞれ異なっていてもよい。ラトル３４の形成材料や大きさをそれぞれ異ならせることにより、多彩な音を発生させることができる。また、第３実施形態に示すように光反射シート３３で空洞３２を区画する場合、空洞３２の区画毎に１つ又は複数のラトル３４を封入することもできる。
【００４８】
［第５実施形態］
第１実施形態では、略真円球状のチャーム部材３を用いているが、本実施形態では図１５に示すように、略楕円球状のチャーム部材３を用いている。このような略楕円球状のチャーム部材３を用いてもチャーム部材３の後端部近傍にカルマン渦様の乱流が発生し、チャーム部材３を不規則に揺動させることができる。
なお、略楕円球状のチャーム部材３を用いる場合、楕円球の長径の長さＤ１と短径の長さＤ２の比率（Ｄ１／Ｄ２）は、１．５〜３．０であることが好ましく、１．５〜２．０であることがより好ましい。この比率が３．０を超えると、楕円球が扁平になりすぎ、効果的にカルマン渦様の乱流を発生させることができない虞がある。
なお、第１実施形態では、略真円球状のチャーム部材３を用いているため、長径及び短径の区別ができないが、あえて長径と短径の比率（Ｄ１／Ｄ２）を算出すると、略１．０（０．９〜１．１）である。
【００４９】
［第６実施形態］
第１実施形態では、略真球状のチャーム部材３を用いているが、本発明者の鋭意研究によれば、チャーム部材３に切欠面３５を設けることにより、チャーム部材３がより不規則に揺動し易くなる。
例えば、本実施形態では、図１６（ａ）及び（ｂ）に示すように、チャーム部材３の後端部に平面状の切欠面３５が設けられている。この切欠面３５は、チャーム部材３の軸心Ｒ１と略直交するように設けられていてもよいし、軸心Ｒ１と所定の角度を成すように設けられていてもよい（図示せず）。もっとも、本発明者の知見によれば、軸心Ｒ１と略直交するように切欠面３５を設けると、最もチャーム部材３が不規則に揺動し易くなる。なお、「略直交」は、切欠面３５と軸心Ｒ１の成す角度が、８７°〜９３°である場合を含む。
【００５０】
本実施形態では、図１６（ｂ）に示すように、切欠面３５の背面視形状が真円形であるが、切欠面３５の背面視形状は特に限定されず、正方形や六角形などの多角形、真円形や楕円形などの円形、不定形などを採用することができる。もっとも、本発明者の知見によれば、チャーム部材３が不規則に揺動し易くなることから、切欠面３５の背面視形状は、円形が好ましく、真円形又は楕円形がより好ましく、真円形が特に好ましい。なお、円形は、真円形だけでなく、楕円形やその他大凡円形と認められる不定形を含んでいる。
また、本発明者の知見によれば、チャーム部材３の表面積に対して切欠面３５の表面積の占める割合は、５％〜２０％であることが好ましく、５％〜１５％であることがより好ましく、８％〜１５％であることがさらに好ましい。切欠面３５の占める面積をこの範囲内とすれば、チャーム部材３がより不規則に揺動し易くなる。
チャーム部材３の後端部にこのような切欠面３５を設けることでチャーム部材３がより不規則に振動し易くなる理由は明確ではないが、本発明者の推測によれば、切欠面３５を設けることにより上述したカルマン渦様の乱流が発生し易くなる、又は、チャーム部材３がカルマン渦様の乱流の影響を受け易くなると考えられる。
なお、特に図示しないが、本実施形態では平面以外の切欠面３５を採用することもでき、例えば、チャーム部材３の内側に窪んだ曲面を切欠面３５とすることもできる（図示せず）。
【００５１】
［第７実施形態］
第１実施形態では、連結部５は、第１アーム部１１に設けられた第１環部１４、１つのリング部材４、及びチャーム部材３に設けられた第２環部３１を有しているが、本実施形態では、図１７に示すように、連結部５は、リング部材４を有しておらず、第１環部１４及び第２環部３１のみを有している。この場合、第１環部１４の孔に第２環部３１が挿通された状態で第１環部１４と第２環部３１が連結されている。なお、この状態は、第２環部３１の孔に第１環部１４が挿通された状態であるとも言える。即ち、第１環部１４と第２環部３１は、リング部材４を介さず直接鎖状に連結されている。このように連結した場合でも、第１実施形態と同様の原理により、チャーム部材３は、連結部５とチャーム部材３の中心Ｏを結ぶ軸心Ｒ１の周りを回転可能であると共にその回転量が所定範囲に規制される。
第１環部１４と第２環部３１を直接連結する場合、チャーム部材３の回転角は第１環部１４及び第２環部３１の内径を適宜変更することにより調整することができる。本実施形態でチャーム部材３がとり得る回転角は、第１実施形態の説明で例示した範囲と同範囲であることが好ましい。チャーム部材３がとり得る回転角をこのような範囲とすることで、チャーム部材３の後端部近傍にカルマン渦様の乱流が発生し易くなり、チャーム部材３をより不規則に揺動させ易くなる。
【００５２】
［第８実施形態］
第１実施形態では、８の字状に屈曲させることで形成された２つの環部を有する線材の一方の環部をチャーム部材３に埋め込むことにより第２環部３１が形成されている。そのため、第２環部３１の環構造は、線材のみによって構成されている。しかしながら、第２環部３１の環構造は、線材のみによって構成されていなくてもよく、線材とチャーム部材３、又は、チャーム部材３のみから構成されていてもよい。
例えば、図１８（ａ）に示すように、Ｕ字状に屈曲された線材の一端部と他端部をチャーム部材３に埋め込むことにより第２環部３１が形成されていてもよい。この場合、第２環部３１の環構造は、線材とチャーム部材３の外面によって構成されている。
また、図１８（ｂ）に示すように、チャーム部材３の外面の一部をＵ字状に突出させることで第２環部３１を形成してもよい。この場合、第２環部３１の環構造は、チャーム部材３のみから構成されている。
本実施形態のように、線材のみによって構成されていない環構造を有する第２環部３１を採用した場合であっても、第１環部１４と第２環部３１を直接又は１つのリング部材４を介して鎖状に連結することにより、チャーム部材３の回転角を３６０°未満とすることができる。
【００５３】
［第９実施形態］
本実施形態では、図１９に示すように、チャーム部材３の後端部に釣針２３が連結されている。具体的には、チャーム部材３の後端部に埋め込まれた第３環部３６と、第３環部３６に挿通された介設リング６を介して釣針２３がチャーム部材３の後端部に連結されている。このように、チャーム部材３の後端部に釣針２３を連結することで、ルアー本体２ではなくチャーム部材３に対象魚が食いついた場合であっても、対象魚を釣り上げることができる。
【００５４】
なお、本発明のルアー１０は、第１乃至第９実施形態で示した具体的な構成に限定されず、本発明の意図する範囲内で、各実施形態の構成を組み合わせるなど、適宜設計変更することができる。
例えば、第５実施形態で示した略楕円球状のチャーム部材３に、第６実施形態の切欠面３５を設けてもよいし、第１実施形態で示した空洞３２や光反射シート３３を設けてもよい。また、第１実施形態で示したチャーム部材３から、光反射シート３３を取り除くこともできる。
【符号の説明】
【００５５】
１０  ルアー
１  アーム部材
１１  第１アーム部
１２  第２アーム部
１３  第３アーム部
１４  第１環部
２  ルアー本体
２１  主部
２２  スカート
２３  釣針
３  チャーム部材
３１  第２環部
３２  空洞
３３  光反射シート
３４  ラトル
３５  切欠面
４  リング部材
５  連結部
Ｒ１，Ｒ２  軸心
【図１】
2018134030.tif 000003
【図２】
2018134030.tif 000004
【図３】
2018134030.tif 000005
【図４】
2018134030.tif 000006
【図５】
2018134030.tif 000007
【図６】
2018134030.tif 000008
【図７】
2018134030.tif 000009
【図８】
2018134030.tif 000010
【図９】
2018134030.tif 000011
【図１０】
2018134030.tif 000012
【図１１】
2018134030.tif 000013
【図１２】
2018134030.tif 000014
【図１３】
2018134030.tif 000015
【図１４】
2018134030.tif 000016
【図１５】
2018134030.tif 000017
【図１６】
2018134030.tif 000018
【図１７】
2018134030.tif 000019
【図１８】
2018134030.tif 000020
【図１９】
2018134030.tif 000021
【図２０】
2018134030.tif 000022
【手続補正書】
【提出日】平成30年1月31日(2018.1.31)
【手続補正１】
【補正対象書類名】明細書
【補正対象項目名】００１０
【補正方法】変更
【補正の内容】
【００１０】
【図１】本発明の第１実施形態に係るルアーを示す側面図。
【図２】同ルアーのチャーム部材及びその周辺の部材を示す一部拡大側面図。
【図３】図２の矢印ＩＩＩ方向から見た上面図。
【図４】図２の矢印ＩＶ方向から見た正面図。
【図５】（ａ）は、同ルアーのチャーム部材及び第２環部のみを示す斜視図であり、（ｂ）は、（ａ）のＶｂ−Ｖｂ線断面図。
【図６】チャーム部材を回転させた状態を示す一部拡大側面図。
【図７】（ａ）は、基準点Ｘを示すチャーム部材の参考背面図であり、（ｂ）は、（ａ）の状態から軸心Ｒ１の周りでチャーム部材を１回転させた状態を示す参考背面図。
【図８】（ａ）は、軸心Ｒ２を示す同ルアーの一部拡大側面図であり、（ｂ）は、（ａ）の状態から軸心Ｒ２の周りでチャーム部材を１回転させた状態を示す一部拡大側面図。
【図９】（ａ）は、同ルアーのチャーム部材が揺動する状態を示す一部拡大側面図であり、（ｂ）は、（ａ）の矢印ＩＸｂ方向から見た背面図。
【図１０】（ａ）は、同ルアーの第１環部を示す一部拡大上面図であり、（ｂ）は、第１環部の変形例を示す一部拡大上面図。
【図１１】同ルアーの沈下状態を示す一部省略側面図。
【図１２】本発明の第２実施形態に係るルアーを示す側面図。
【図１３】（ａ）及び（ｂ）共に、本発明の第３実施形態に係るルアーが有するチャーム部材及びその周辺の部材を示す一部拡大上面図。
【図１４】（ａ）は、本発明の第４実施形態に係るルアーが有する第２環部及びチャーム部材のみを示す斜視図であり、（ｂ）は、（ａ）のＸＩＶｂ−ＸＩＶｂ線断面図。
【図１５】本発明の第５実施形態に係るルアーが有するチャーム部材及びその周辺の部材を示す一部拡大側面図。
【図１６】（ａ）は、本発明の第６実施形態に係るルアーが有するチャーム部材及びその周辺の部材を示す一部省略拡大側面図であり、（ｂ）は、（ａ）の背面図。
【図１７】本発明の第７実施形態に係るルアーが有するチャーム部材及びその周辺の部材を示す一部拡大側面図。
【図１８】（ａ）及び（ｂ）共に、本発明の第８実施形態に係るルアーが有するチャーム部材及び第２環部のみを示す拡大側面図。
【図１９】本発明の第９実施形態に係るルアーが有するチャーム部材及びその周辺の部材を示す一部省略拡大側面図。
【図２０】（ａ）は、従来のスピナーベイトを示す側面図であり、（ｂ）は、（ａ）のＸＸｂ−ＸＸｂ線断面図。
【手続補正２】
【補正対象書類名】明細書
【補正対象項目名】００１２
【補正方法】変更
【補正の内容】
【００１２】
また、本明細書において、アーム部材に結び付けられたミチ糸を水中で引いた際にルアーが進む方向を「前方」と称し、前方と反対方向を「後方」と称し、両方向を「前後方向」と総称する場合がある。また、本明細書において、「上方」とは、前後方向と直交し且つ遊泳中のルアーを基準にして水面に向かう方向であり、「下方」とは、上方と反対方向、即ち、遊泳中のルアーを基準にして水底に向かう方向である。上方及び下方を「上下方向」と総称する場合がある。さらに、本明細書では、上下方向及び前後方向と直交する方向を、「左右」と称する場合がある。
図１に示すルアー１０の側面図を例にすると、紙面の左側が「前方（ルアー１０の進行方向）」であり、紙面の右側が「後方」であり、紙面の上側が「上方」であり、紙面の下側が「下方」である。
【手続補正３】
【補正対象書類名】明細書
【補正対象項目名】００２２
【補正方法】変更
【補正の内容】
【００２２】
図１に示すようにルアー１０を側面視した際、アーム部材１の前端部（第３アーム部１３の前端部）から第１環部１４の後端部までの幅Ａと、アーム部材１の前端部から第２アーム部の後端部までの幅Ｂとの比率（Ａ／Ｂ）は特に限定されないが、通常、その下限値は０．２であり、好ましくは０．３であり、より好ましくは０．４であり、さらに好ましくは０．５である。また、その上限値は、通常、１．２であり、好ましくは１．１であり、さらに好ましくは１．０である。
前記比率（Ａ／Ｂ）が上述の範囲にあれば、前後方向におけるルアー本体２とチャーム部材３の間隔が適度となり、ルアー１０をより小魚の群れに似せることができる。
【手続補正４】
【補正対象書類名】明細書
【補正対象項目名】００２６
【補正方法】変更
【補正の内容】
【００２６】
本実施形態では、略真円球形のチャーム部材３が、第１環部１４、第２環部３１、及びリング部材４を有する連結部５を介して第１アーム部１１に連結されている。
具体的には、第１環部１４は、第１アーム部１１の後端部を屈曲させて形成された環状構造を有する部分である。また、第２環部３１は、チャーム部材３の前端部から前方に突出するように設けられた環状構造を有する部材である。本実施形態では、第２環部３１は、チャーム部材３とは別体である線材を８の字状に屈曲させることで２つの環状構造を有する部材を形成し、その一方の環状構造のみをチャーム部材３の前端部に埋め込むことにより設けられている。
第１環部１４と第２環部３１は、リング部材４を介して、連結されている。具体的には、第１環部１４の孔にリング部材４が挿通された状態で第１環部１４とリング部材４が連結され、且つ、第２環部３１の孔にリング部材４が挿通された状態で第２環部３１とリング部材４が連結されている。端的に言えば、第１環部１４と第２環部３１が、リング部材４を介して鎖状に連結されている。
リング部材４は特に限定されないが、取り扱い性と強度のバランスが良いことから、所謂スプリットリングを用いることが好ましい。スプリットリングは、１本の線材を多重に巻回して形成された部材であり、本実施形態では１本の線材を２重に巻いたスプリットリングを用いている。なお、リング部材４として、１本の線材を３重以上に巻いたスプリットリングを用いることも可能である（図示せず）。スプリットリングをリング部材４として用いれば、簡単に第１環部１４と第２環部３１を鎖状に連結することができる。
【手続補正５】
【補正対象書類名】明細書
【補正対象項目名】００２９
【補正方法】変更
【補正の内容】
【００２９】
このように、チャーム部材３が軸心Ｒ１の周りで１回転しない場合、図９（ａ）に示すように、チャーム部材３の前方から後方へ流れる水流Ｓが、チャーム部材３の後端部近傍において上述したカルマン渦様の乱流を生じ易くなると考えられ、その結果、チャーム部材３が図９（ｂ）に示すように上下左右に不規則に揺動すると考えられる。
チャーム部材３の回転角（軸心Ｒ１の周りでチャーム部材３を回転させた際に基準点Ｘがとり得る回転角）の上限は、好ましくは３００°（５／６回転）であり、より好ましくは２７０°（３／４回転）であり、さらに好ましくは２４０°（２／３回転）であり、特に好ましくは１８０°（１／２回転）である。また、チャーム部材３の回転角の下限は、通常３０°（１／１２回転）であり、好ましくは６０°（１／６回転）であり、より好ましくは９０°（１／４回転）であり、さらに好ましくは１２０°（１／３回転）であり、特に好ましくは１５０°（５／１２）回転である。
本発明者の知見によれば、チャーム部材３の回転角が上述の範囲であれば、チャーム部材３の後端部近傍にカルマン渦様の乱流が生じ易くなるため、チャーム部材３を不規則に揺動させ易くなる。
なお、上述したチャーム部材３の回転角は、チャーム部材３を人為的に回転させた（具体的には、チャーム部材を摘んで任意の方向に回転させた）際にとり得る角度である。本発明者の知見によれば、実際に本発明１０のルアーを水中で遊泳させた際は、チャーム部材３は水流によって殆ど回転することなく上下左右に揺動する。
【手続補正６】
【補正対象書類名】明細書
【補正対象項目名】００３２
【補正方法】変更
【補正の内容】
【００３２】
本発明者の知見によれば、第１環部１４の内径１ｄと第２環部３１の内径２ｄの比率（１ｄ／２ｄ）は、１．０〜２．０が好ましく、１．０〜１．５がより好ましく、１．０〜１．３がさらに好ましい。また、第１環部１４の内径１ｄとリング部材４の内径ｒｄの比率（ｒｄ／１ｄ）は、１．０〜３．０が好ましく、１．２〜２．０がより好ましく、１．５〜２．０がさらに好ましい。
第１環部１４、第２環部３１、及びリング部材４の内径をこのような範囲内とすることにより、上述した好ましいチャーム部材３の回転角を容易に実現することができる。
【手続補正７】
【補正対象書類名】明細書
【補正対象項目名】００３４
【補正方法】変更
【補正の内容】
【００３４】
また、図１に示すように、アーム部材１の前端部（第３アーム部１３の前端部）から第１環部１４の後端部までの幅Ａと第１環部１４の後端部からチャーム部材３の後端部までの幅Ｃの比率（Ａ／Ｃ）は、０．８以上とされていることが好ましい。
幅Ａと幅Ｃの比率（Ａ／Ｃ）を０．８以上とすることにより、ルアー１０が沈下する際におけるチャーム部材３とミチ糸の絡まりを効果的に防止できる。
具体的には、ルアー１０を水中で沈下させると、図１１に示すように、アーム部材１の第３アーム部１３に結び付けられミチ糸Ｌと第１アーム部１１に連結されたチャーム部材３が、共に上方に延びた状態となる。そして、沈下時においてチャーム部材３は前後に揺動するため、チャーム部材３とミチ糸Ｌが近すぎると、前方に大きく揺動したチャーム部材３がミチ糸Ｌに絡まる虞がある。
これに対し、幅Ａと幅Ｃの比率（Ａ／Ｃ）を０．８以上にすれば、ルアー１０が沈下する際にチャーム部材３が大きく前方に揺動しても、チャーム部材３とミチ糸は十分離れているため絡まり難い。幅Ａと幅Ｃの比率（Ａ／Ｃ）は、より好ましくは１．０以上であり、より好ましくは１．２以上である。幅Ａと幅Ｃの比率（Ａ／Ｃ）が１．０以上であれば、ルアー１０が沈下する際にチャーム部材３とミチ糸が殆ど接触しないため、より効果的にチャーム部材３とミチ糸の絡まりを防止できる。
幅Ａと幅Ｃの比率（Ａ／Ｃ）の上限値は特に限定されないが、通常、３．０であり、好ましくは２．０である。幅Ａと幅Ｃの比率（Ａ／Ｃ）が３．０より大きい場合、ルアー１０を遊泳させた際、チャーム部材３の揺動が効率的に第２アーム部１２に伝わらず、ルアー本体２を不規則に揺動させ難くなる虞がある。
【手続補正８】
【補正対象書類名】明細書
【補正対象項目名】００３９
【補正方法】変更
【補正の内容】
【００３９】
なお、本実施形態では、光反射シート３３が封入された空洞３２を有する透明なチャーム部材３を用いているため、チャーム部材３の外側から内部の空洞３２、光反射シート３３、及び第２環部３１の一部が視認できるが、便宜上、図面ではチャーム部材３の内側にある空洞３２の輪郭及び第２環部３１の一部を破線で表しており、光反射シート３３は実線で表すと共に格子状の模様を付している。但し、発明の理解のため、図５（ａ）においては、空洞３２の一部の輪郭を実線で表し、図７、図８、及び図９については、チャーム部材３の内側にある空洞３２、光反射シート３３、及び第２環部３１の描写を省略している。
【手続補正９】
【補正対象書類名】図面
【補正対象項目名】図９
【補正方法】変更
【補正の内容】
【図９】
2018134030.tif 000023
【手続補正１０】
【補正対象書類名】図面
【補正対象項目名】図２０
【補正方法】変更
【補正の内容】
【図２０】
2018134030.tif 000024